(57)【要約】【課題】  異なる適応変調符号化レベル間の切り替えを通信状況に応じて適切に行なう方法を得ること。【解決手段】  本発明による適応変調符号化方法では、１以上の調整可能な値が生成され（Ｓ１）、その各々は、送信機から受信機へ伝送される信号に適用可能な複数の利用可能な変調符号化レベルの少なくとも１つに対応し、且つその各々は対応する前記レベルへの変化を表現する。受信機によって信号が良好に受信されたか否かに依存して、１以上の調整可能な値が調整される（Ｓ２−Ｓ５）。調整可能な値に基づいて、信号に適用するために、利用可能な変調符号化レベルの１つが選択される（Ｓ６−Ｓ８）。本方法は、パス及びチャネル状態が変化したとしても、適切な変調符号化レベルが選択されるようにすることを可能にする。本方法は、無線通信ネットワークの高速ダウンリンクパケットアクセスシステムにおける変調符号化レベルを選択するのに適用可能である。【選択図】  図１１
2005057758.tif 000002
【特許請求の範囲】
【請求項１】
送信機から受信機へ伝送される信号に適用可能な複数の利用可能な変調符号化レベルの少なくとも１つにそれぞれが対応する１以上の調整可能な値を保持するステップであって、対応する前記レベルへの変化を各々が表現するところのステップ；
前記受信機によって信号が良好に受信されたか否かに依存して、１以上の調整可能な値を調整するステップ；及び
調整可能な値に基づいて、前記信号に適用する利用可能な変調符号化レベルの１つを選択するステップ；
を有することを特徴とする適応変調符号化方法。
【請求項２】
調整するステップが、信号が良好に受信された場合に１以上の調整可能な値を増やし、信号が良好に受信されなかった場合に１以上の調整可能な値を減らすステップより成る
ことを特徴とする請求項１に記載の方法。
【請求項３】
少なくとも２つの調整可能な値が存在し、調整するステップが、一方の調整可能な値が調整された量とは異なる量の分だけ他方の調整可能な値を調整するステップを有する
ことを特徴とする請求項１又は２に記載の方法。
【請求項４】
調整可能な値が非整数値であり、選択するステップにおいて、信号に適用する変調符号化レベルを選択するために、調整可能な値の丸められたものが使用され、該丸められたものは、非整数の調整可能な値に最も近い整数値を表す
ことを特徴とする請求項１乃至３の何れか１項に記載の方法。
【請求項５】
送信機から受信機へ伝送される信号に適用可能な複数の利用可能な変調符号化レベルの少なくとも１つにそれぞれが対応する１以上の調整可能な値を保持する調整可能値保持手段であって、対応する前記レベルへの変化を各々が表現するところの調整可能値保持手段；
前記受信機によって信号が良好に受信されたか否かに依存して、１以上の調整可能な値を調整する調整手段；及び
調整可能な値に基づいて、前記信号に適用する利用可能な変調符号化レベルの１つを選択する選択手段；
を有することを特徴とする適応変調符号化装置。
【発明の詳細な説明】
【技術分野】
【０００１】
本発明は、例えば無線通信システムで使用する適応的な変調符号化方法及び装置に関連する。
【背景技術】
【０００２】
図１は無線通信システム１の一部を示す。システムは、複数の基地局２を含むが、図１ではその１つしか示されていない。基地局２は、個々の複数のユーザが存在し得るセルをまかなう。各ユーザは、各人のユーザ装置（ＵＥ）を有する。図１ではユーザ装置ＵＥ２，ＵＥ１１及びＵＥ５０のみが示されている。各ＵＥは、例えば、携帯用端末（ハンドセット）又は携帯用コンピュータである。
【０００３】
よく知られているように、符号分割多重接続（ＣＤＭＡ）方式のシステムでは、基地局（「ノードＢ」とも呼ばれる）から様々なユーザへ送信される信号は、様々なチャネライゼーションコードを用いることで区別される。いわゆる第３世代無線通信システムでは、高速ダウンリンクパケットアクセス（ＨＳＤＰＡ）技法が、（基地局からＵＥへの）ダウンリンク方向のデータ伝送に提案されている。この技法では、データを送信するのに複数のチャネルが利用可能である。これらのチャネルは、様々なチャネライゼーションコードを有する。例えば、所与のセル又はセル内のセクタにてＣ１乃至Ｃ１０の１０個の異なるチャネルが存在し得る。ＨＳＤＰＡでは、ダウンリンク伝送は、一連の送信時間間隔（ＴＴＩ）又はフレームに分割され、データのパケットは、選択されたＵＥに利用可能な異なるチャネルの各々で送信される。ＵＥが使用するチャネルの新たな選択は、各ＴＴＩで行なわれ得る。
【０００４】
図２は、ＴＴＩ１乃至ＴＴＩ９の一連の送信時間間隔にわたる、ＨＳＤＰＡ法の動作例を示す。図２に示されるように、ＴＴＩ１では、２つのパケットがＵＥ５０に送信され、４つのパケットがＵＥ１１に送信され、４つのパケットがＵＥ２に送信されることが定められている。従って、２つのチャネルがＵＥ５０に割り当てられ、４つのチャネルがＵＥ１１及びＵＥ２にそれぞれ割り当てられている。そして、図１に示されるように、ＵＥ５０にはチャネルＣ１及びＣ２が割り当てられ、ＵＥ１１にはチャネルＣ３乃至Ｃ６が割り当てられ、ＵＥ２にはチャネルＣ７乃至Ｃ１０が割り当てられている。
【０００５】
次の送信時間間隔ＴＴＩ２では、新たなユーザ装置ＵＥ１に１つのパケットが送信され、ＴＴＩ１で指定された残りのＵＥはパケットを受信し続ける。
【０００６】
従って、ＨＳＤＰＡシステムは、基地局から様々なＵＥへパケット形式でデータを送信するために、多数の並列的に共用されるチャネルを効果的に使用する。このシステムは、例えば、ワールドワイドウエブ（ＷＷＷ）ブラウジングに使用されることが期待されている。
【０００７】
ＨＳＤＰＡシステムでは、ロバストな通信システム構造を実現するために、チャネル状態情報（ＣＳＩ）が、送信機及び受信機の双方で利用可能にされている。ＨＳＤＰＡシステムは、伝送レート及びスループットを増やすこと、及び様々なユーザに提供されるサービス品質（ＱｏＳ）を増進することを意図している。それは、基地局制御装置（無線ネットワーク制御装置又はＲＮＣとも呼ばれる）から基地局（ノードＢ）に多くの機能を移管する。
【０００８】
また、ＨＳＤＰＡシステムは、適応変調及び符号化法（ＡＭＣ）と呼ばれる制御技術を利用して、様々なチャネル状態の下に、様々な変調及び／又は符号化法を基地局が選択することを可能にする。
【０００９】
送信機及び受信機（ＵＥ）間のチャネルに関する信号伝送品質は、時間と共に顕著に変化する。図３は、一連の５０００ＴＴＩにわたる４つの異なるユーザに関する、ダウンリンクチャネル当たりの信号干渉比（ＳＩＲ）の変動を例示する。このプロットされたものはシミュレーションにより得られたものである。図示されるように、所与のＵＥに関し、ＳＩＲ値の範囲は、＋１２ｄＢ乃至−１５ｄＢ付近に至る。ＳＩＲは、シャドーイング、レイリーフェージング及び移動可能なＵＥの分布変動に加えて、伝搬パラメータを含むセルラ領域仕様やＵＥの速度に起因して変化する。
【００１０】
図４は、４つの異なる変調及び符号化の組合せに関する、データ伝送レート（スループット）及び信号干渉比間の関係を示すグラフであり、これは変調符号化（ＭＣＳ）レベルとも呼ばれる。最初の３つのレベル（ＭＣＳ８，ＭＣＳ６及びＭＣＳ５）は、総て直交振幅変調（ＱＡＭ）法に関するものであり、それらのＱＡＭ法では、使用される信号点の数（６４又は１６）が互いに異なる。４番目のレベル（ＭＣＳ１）は、変調法として、直交位相シフトキーイング（ＱＰＳＫ）を使用している。
【００１１】
各レベルは、符号化パラメータで規定された符号化を使用し、そのパラメータはこの例では冗長レートＲとして表現される。最初の２つのレベルＭＣＳ８及びＭＣＳ６についての冗長レートＲは３／４であり、第３及び第４のレベルＭＣＳ５及びＭＣＳ１についての冗長レートは１／２である。
【００１２】
図４から分かるように、約−４ｄＢより低いＳＩＲ値については、ＭＣＳ１（ＱＰＳＫ，Ｒ＝１／２）は利用可能な最良の選択肢である。このレベルの特性は、図中丸印でプロットされている。
【００１３】
約−４ｄＢ乃至約＋２ｄＢの範疇のＳＩＲ値については、ＭＣＳ５（１６ＱＡＭ，Ｒ＝１／２）が最良の伝送レートを与える。このＭＣＳレベルについての特性は、図中×印で示されている。
【００１４】
約＋２ｄＢ乃至＋８ｄＢの間のＳＩＲ値については、ＭＣＳ６（１６ＱＡＭ，Ｒ＝３／４）が最良の伝送レートを与える。このＭＣＳレベルについての特性は、図中菱形の点で示されている。
【００１５】
最後に、＋８ｄＢより大きいＳＩＲ値については、ＭＣＳ８（１６ＱＡＭ，Ｒ＝３／４）が最良の伝送レートを与える。この組合せの特性は、図中四角の点で示されている。
【００１６】
ＨＳＤＰＡシステムでは、適応変調符号化（ＡＭＣ）のような技法が、（例えば、ＳＩＲ値のような）チャネル状態の変動に従って、ＭＣＳレベルを合わせるために使用される。
【００１７】
ＨＳＤＰＡ規格（３ＧＰＰ  ＴＳ  ２５．２１４  Ｖ５．５．０（２００３−６））によれば、各ＵＥは、チャネル品質インジケータ（ＣＱＩ）マッピングテーブルを保持している。マッピングテーブルの例は、図５に示されている。テーブルが示しているように、各ＣＱＩ値について、様々なパラメータが規定されており、そのパラメータは、伝送ブロックサイズ、符号の番号、変調方式及び基準電力調整値Δを含む。伝送ブロックサイズは、１つのＴＴＩで受信可能な最小ビット数を表現する。コードの数は、１つのＴＴＩの中で単独のユーザに同時に送信されるチャネライゼーションコードの数である。変調方式は、例えば、ＱＰＳＫや１６ＱＡＭのような変調方式を表現する。基準電力調整値Δは、送信電力が、そのＣＱＩ値で信号を受信するのに必要なものより大きい場合に、その送信電力に適用される低減量である。
【００１８】
各ＵＥは、基地局からＵＥ間でのダウンリンクチャネルの品質測定値を生成する。この測定値及びＣＱＩマッピングテーブルに基づいて、ＵＥはある信号に関する最適なＣＱＩ値を報告し、そのＣＱＩ値は、その伝送ブロックサイズ、コード数及びその値に関する変調方式を有する信号が、所定の目標値を下回る伝送ブロック誤り率（パケットエラーレート（ＰＥＲ）として言及されることもある）で受信可能であるところのＣＱＩ値である。
【００１９】
所望の基地局が、適用するＭＣＳレベルとして、報告されたＣＱＩ値を直接的に採用してもよいように、ＣＱＩ値とＭＣＳレベルとの間に１対１の対応関係が存在してもよい。例えば、１つの提案（「ＨＳＤＰＡ  ＣＱＩ提案」、４月９日乃至１２日、パリ、フランス国）では、１乃至３０のＣＱＩ値が存在し、それらは、１０％のＰＥＲにて、隣接するＭＣＳレベル間で約１ｄＢのステップサイズを与える。或いは、基地局は、システム制限及び利用可能なＭＣＳレベルに関する情報に加えて、各ＵＥについて報告されたＣＱＩ値を使用し、その特定のＵＥについて最も効率的なＭＣＳレベルを判別してもよい。
【００２０】
従って、報告されたＣＱＩ値に基づいて、良好なチャネルを有する又は基地局の近辺に位置するＵＥは、より高いＭＣＳレベルを使用することができ、それ故により高い伝送レートの恩恵を受けることができる。実際に、その結果は、各ＵＥのチャネル品質に基づく伝送レートに位置付けられる。
【００２１】
理想的には、各ＵＥはＴＴＩ毎にＣＱＩ値を報告し、基地局は、ＴＴＩ毎に利用可能なチャネル各々について新たなＭＣＳレベルを設定したい。
【００２２】
ＨＳＤＰＡシステムは、ハイブリッド自動再送要求（Ｈ−ＡＲＱ）技法を使用してもよい。
【００２３】
図６は、Ｈ−ＡＲＱ法がどのように動作するかを説明するのに使用する概略図である。この例では、その技法は、所謂、ストップ・アンド・ウエイト型（ＳＡＷ：ｓｔｏｐ−ａｎｄ−ｗａｉｔ）の技法である。この図は、ＴＴＩ１乃至ＴＴＩ９の連続的な一連のＴＴＩにわたる、単独のダウンリンクチャネルＨＳＰＤＳＣＨ１におけるパケット伝送を示す。ＴＴＩ２にて、第１パケットがＵＥ１に送信される。パケットを受信すると、各ＵＥはその伝送にエラーがなかったか否かを検査する。エラーがなければ、ＵＥは、専用の物理制御チャネル（ＤＰＣＣＨ）のような上り制御チャネルを用いて、肯定応答メッセージＡＣＫを基地局に返送する。受信したパケットに伝送エラーがあった場合は、ＵＥは、その上りリンクチャネルを用いて、否定応答メッセージＮＡＣＫを基地局に送信する。
【００２４】
図６に示される例では、ＴＴＩ２でＵＥ１に送信された第１パケットが、誤りなしに受信されることに失敗し、ＴＴＩ４にて、ＵＥ１はＮＡＣＫメッセージを基地局に送信する。Ｈ−ＡＲＱ法では、特定のＵＥ宛の次のパケットを、その同じＵＥに以前に送信されたパケットの肯定応答又は否定応答メッセージを待たずに送信することが許容されている。従って、エラーのないチャネルの場合に、何らの送信タイムスロットもアイドルに向かわず、ＵＥを自由にスケジュール管理する機能を与える。配信されるデータの観点からは、システム全体のパフォーマンスが改善されつつ、システム容量が節約される。
【００２５】
例えば、図６に示されるように、ＵＥ１の第１パケットに関するＮＡＣＫメッセージが基地局によって受信される前に、その基地局はＴＴＩ４にて第２パケットをそのＵＥ１に送信する。従って、ＵＥ１に対する第２パケットは、ＵＥ１に対する第１パケットが、第１パケットの最初の送信に対するＮＡＣＫメッセージに応答してＴＴＩ７で再送される前に送信される。
【００２６】
Ｈ−ＡＲＱ法では、誤って受信されたパケット（失敗したパケット）は、所謂、追跡合成プロセスに委ねられる。このプロセスでは、失敗したパケットは、送信機によって再送され、その後に、受信機は、同一パケットの受信した全ての複製を、（例えば、最大比率合成法を用いて）「ソフトに（ｓｏｆｔ）」合成する。最終的なＳＩＲは、合成された２つのパケット各自のＳＩＲの和として決定される。従って、追跡合成プロセスは、送信されたパケットのＳＩＲを改善する。
【００２７】
ＡＭＣ及びＨＡＲＱ法に関する更なる情報は、３ＧＰＰ  ＴＲ  ２５．８４８  Ｖ  ４．０．０（２００１−０３）、第３世代パートナーシッププロジェクト；技術仕様グループ無線アクセスネットワーク；２００１年３月のＵＴＲＡ高速ダウンリンクパケットアクセス（リリース４）の物理層態様に見受けられ、これらの内容全体は本願の参考に供せられる。
【００２８】
異なるＭＣＳレベル間の切り替えは、非常に重要なタスクとして認識されており、このスイッチングを最適化する様々な提案がなされている。例えば、２００１年５月２１日乃至２５日に韓国のプサンで行なわれたＴＳＧ  Ｒ１−１−０５８９、ＴＳＧ−ＲＡＮ  ワーキンググループ１会議番号２０では、ＮＥＣ及びテレコムモデュス（ＭＯＤＵＳ）がＡＭＣ技法を共同で提案し、その技法では、異なるＭＣＳレベル間の切り替えのための閾値が、ＵＥから通知するＡＣＫ／ＮＡＣＫに基づいて調整される。ＮＡＣＫが通知されると、基地局は、ある上昇量Ｓ１だけ閾値を増やす。ＡＣＫが通知されると、基地局は、ある下降量Ｓ２だけ閾値を減らす。閾値に対する調整は制限され、簡単のため、閾値間の差分が固定してもよい。上昇量Ｓ１及び下降量Ｓ２間の比率は、目標の誤り率に基づいて決定してもよい。
【発明の開示】
【発明が解決しようとする課題】
【００２９】
このＡＭＣ法は、ＭＣＳレベル間の閾値を調整し、無線通信システムにおける様々な動作状態を考慮に入れようとする。特に、無線環境下での最適なＭＣＳレベルは、ドップラ周波数（即ち、ＵＥが移動する速度）及びマルチパス伝搬状態に依存する。例えば、図７は、図４の様々なＭＣＳレベルの各々についてのスループット対ＳＩＲ特性に関する、ＵＥ速度の影響を示す。３つのラインがＭＣＳレベル毎にプロットされており；最上位のラインは３ｋｍ／ｈの低速ＵＥに対応し（ドップラ周波数Ｆｄ＝５．５５５Ｈｚ）、中位のラインは６０ｋｍ／ｈの中速ＵＥに対応し（Ｆｄ＝１１１．１１２Ｈｚ）、下位のラインは１２０ｋｍ／ｈの高速ＵＥに対応する（Ｆｄ＝２２２．２４Ｈｚ）。図７は、ＵＥ速度が増えるにつれて、スループットが劣化することを示す。ＭＣＳレベル間で切り替えるのに最適な閾値も、ＵＥ速度が変化するにつれて変わることも理解される。
【００３０】
図７は単一経路のレイリーフェージングモードに関連する。図８は、２つの等利得パス状態の下での様々なＵＥ速度の影響を示す。それらの特性は図６のものと非常に異なることが理解でき、最適な閾値はパス状態が変わると変化することが明白である。
【００３１】
ＮＥＣ／テレコムモデュスにより提案された方法は、動作状態が変化すると閾値を変えるが、ＡＣＫ又はＮＡＣＫメッセージが受信されるその都度、即ちフレーム毎に閾値を増やしたり減らしたりするので、その方法は最適な解決手段を与えていない。ＭＣＳレベルを切り替える閾値間のステップサイズがかなり大きい場合には（例えば、数ｄＢ）、この手法は、例えば開放的な郊外のように実際上単独の支配的なパスが存在するパス状態において、低いＭＣＳレベルでは比較的貧弱なパフォーマンスになってしまうであろう。
【００３２】
ＴＳＧ  Ｒ１−１−０５８９にてＮＥＣ及びテレコムモデュスの提案した別のＡＭＣ法では、基地局が、ＵＥから通知するＡＣＫ／ＮＡＣＫに基づいてＭＣＳレベルを選択する。例えば、所定数のＴＴＩの間に連続的に、ＮＡＣＫが受信されると、基地局はＭＣＳレベルを下げ、ＡＣＫが受信されるとＭＣＳレベルを増やす。この方法は、ＭＣＳレベルを選択するために、チャネル品質の測定結果を当てにしない点で有利である。従って、測定精度や報告の遅延に関する問題が回避される。しかしながら、例えば都市環境内のように、２つのほぼ等しい強度のパスが存在する場合で、高いＳＩＲ値の時に、この方法は、比較的貧弱なパフォーマンスになるであろう。
【課題を解決するための手段】
【００３３】
本発明の第１態様によれば、適応変調符号化方法が与えられる。本方法は：送信機から受信機へ伝送される信号に適用可能な複数の利用可能な変調符号化レベルの少なくとも１つにそれぞれが対応する１以上の調整可能な値を保持するステップであって、対応する前記レベルへの変化を各々が表現するところのステップ；前記受信機によって信号が良好に受信されたか否かに依存して、１以上の調整可能な値を調整するステップ；及び調整可能な値に基づいて、前記信号に適用する利用可能な変調符号化レベルの１つを選択するステップ；を有する適応変調符号化方法である。
【００３４】
このような適応変調符号化方法は、パス及びチャネル状態が変化したとしても、適切な適応変調符号化レベルが選択されることを可能にする。
【００３５】
好ましい一態様では、保持するステップ、調整するステップ及び選択するステップが、送信機によって行なわれる。しかしながら、保持するステップ、調整するステップ及び選択するステップは、受信機によって行なわれてもよく、その受信機は選択された変調符号化レベルを送信機に通知する。
【００３６】
調整するステップが送信機で行なわれる場合に、受信機は、前記信号が良好に受信されたか否かの指標を前記送信機に送信してもよい。その指標は例えばＡＣＫ／ＮＡＣＫ信号としてもよい。そして、送信機は受信した指標に依存して１以上の調整可能な値を調整する。
【００３７】
一態様では、調整可能な値はテーブル内に保持され、そのテーブルは利用可能な変調符号化レベルの全てに対応する調整可能な値のそれぞれを格納する。調整可能な値を各々の利用可能な変調符号化レベルの１つに単に等しくしたテーブルとしてもよい。以後、調整可能な値は、信号が受信機によって良好に受信されたか否かに依存して調整されてもよい。
【００３８】
そのようなテーブルにより、調整可能な値の各々は、調整ステップにおいて、望まれるならば、異なる量の分だけ調整されることが可能である。或いは、一部の調整可能な値のみを調整ステップにて調整し、残りを不変にしておくことも可能である。また、全ての調整可能な値がテーブルに確保されるので、それらの値の検索及び更新を迅速且つ効率的に行なうことができる。例えば、好ましい態様では、受信機は、信号伝送品質に基づいて、利用可能な変調符号化レベルの１つを提案し、最終的な変調符号化レベルが、提案された変調符号化レベルに対応する調整可能な値に基づいて選択される。この場合に、提案された変調符号化レベルは、テーブルに対するインデックスとして使用し、対応する調整可能な値の選択を簡易にすることができる。
【００３９】
調整可能な値を保持するテーブルを利用することは必須ではない。別の態様では、１以上の共用される調整可能な値が保持される。調整可能な値は、複数の利用可能な変調符号化レベルの１以上に対応してもよい。例えば、同じ基本変調形式（例えば、ＱＰＳＫ）を共用する利用可能な変調符号化レベルのあるグループは、対応する同じ調整可能な値を有していもよく、そのような別のグループ（例えば、１６ＱＡＭのような別の変調方式を使用するレベル）は、別の対応する調整可能な値を有していてもよい。この場合に、調整可能な値は、オフセット値であってもよく、最終的な変調符号化レベルは、受信機により提案された変調符号化レベルにオフセット値を適用することによって選択される。調整可能な値は、初期段階では０に設定され、以後に、信号が受信機によって良好に受信されたか否かに依存する調整工程に委ねられてもよい。
【００４０】
送信機及び受信機が、タイムスロット単位で又はフレーム単位で交互に動作する場合には、調整及び選択するステップは、タイムスロット毎に又はフレーム毎に行なわれてもよい。このように、あるタイムスロット又はフレームで、信号が受信機によって良好に受信されたか否かに基づいて、調整可能な値が調整され、新たな変調符号化レベルが、次のタイムスロット又はフレームで送信される信号に適用するために選択されてもよい。
【００４１】
一態様では、調整するステップは、信号が良好に受信された場合に１以上の調整可能な値を増やし、信号が良好に受信されなかった場合に１以上の調整可能な値を減らすステップより成る。
【００４２】
調整するステップでは、少なくとも１つの調整可能な値が、別の対応する調整可能な値が調整された量とは異なる量の分だけ増やされてもよい。これは、例えば、変調符号化レベルが、一方のグループがＱＰＳＫ変調に関連し、他方のグループが１６ＱＡＭ変調に関連するような、２以上のグループのレベルより成る場合に、有利である。この場合に、一方のグループに適用される調整可能な量は、他方のグループに適用されるものと異ならせてもよい。
【００４３】
好ましくは、調整可能な値は非整数値である。選択するステップにおいて、信号に適用する変調符号化レベルを選択するために、調整可能な値の丸められたものが使用され、該丸められたものは、非整数の調整可能な値に最も近い整数値を表す。このように、最終的に選択される変調符号化レベル用の整数値を生成することは当然に必要であるが、調整可能な値を高精度に維持することができ、優勢なパス及びチャネル状態に基づいて、最も適切な変調符号化レベルが選択されるようにできる。
【００４４】
前記受信機は、例えば信号対干渉及び雑音比のような信号伝送品質の測定値を生成してもよい。提案された変調符号化レベルに前記測定値を対応付けるために、固定的な対応関係が使用されてもよい。例えば、一態様では、受信機は、それが送信機に報告するＣＱＩ値を生成する。このＣＱＩ値は、利用可能なＭＣＳレベルと１対１に対応してもよい。この場合に、報告されたＣＱＩ値は、調整可能な値を選択するために、送信機によって使用され、その選択された調整可能な値は、最終的な変調符号化レベルを導出するために使用される。
【００４５】
本方法は、無線通信システムで使用されてもよく、その場合に、送信機が基地局であり、受信機が無線通信システムのユーザ装置であってもよい。基地局からユーザ装置へ送信される信号は、ダウンリンクパケットアクセス信号であってもよい。或いは、送信機がユーザ装置であり、受信機が基地局であり、ユーザ装置から基地局へ送信される信号がアップリンクパケットアクセス信号であってもよい。
【００４６】
本発明の第２態様によれば、適応変調符号化装置が与えられ、当該装置は：送信機から受信機へ伝送される信号に適用可能な複数の利用可能な変調符号化レベルの少なくとも１つにそれぞれが対応する１以上の調整可能な値を保持する調整可能値保持手段であって、対応する前記レベルへの変化を各々が表現するところの調整可能値保持手段；前記受信機によって信号が良好に受信されたか否かに依存して、１以上の調整可能な値を調整する調整手段；及び調整可能な値に基づいて、前記信号に適用する利用可能な変調符号化レベルの１つを選択する選択手段；を有する適応変調符号化装置である。
【００４７】
本発明の第３態様によれば、無線通信システムに使用する送信機が与えられ、当該送信機は：当該送信機から前記システムの受信機へ伝送される信号に適用可能な複数の利用可能な変調符号化レベルの少なくとも１つにそれぞれが対応する１以上の調整可能な値を保持する調整可能値保持手段であって、対応する前記レベルへの変化を各々が表現するところの調整可能値保持手段；前記受信機によって信号が良好に受信されたか否かに依存して、１以上の調整可能な値を調整する調整手段；及び調整可能な値に基づいて、前記信号に適用する利用可能な変調符号化レベルの１つを選択する選択手段；を有する送信機である。
【００４８】
この送信機は、無線通信システムの基地局の一部又はユーザ装置の一部であってもよい。
【００４９】
本発明の第４態様によれば、無線通信システムに使用する受信機が与えられ、当該受信機は：前記システムの送信機から当該受信機へ伝送される信号に適用可能な複数の利用可能な変調符号化レベルの少なくとも１つにそれぞれが対応する１以上の調整可能な値を保持する調整可能値保持手段であって、対応する前記レベルへの変化を各々が表現するところの調整可能値保持手段；当該受信機によって信号が良好に受信されたか否かに依存して、１以上の調整可能な値を調整する調整手段；調整可能な値に基づいて、前記信号に適用する利用可能な変調符号化レベルの１つを選択する選択手段；及び選択された変調符号化レベルを指定する情報を前記送信機に送信するレベル通知手段；を有する受信機である。
【００５０】
この受信機は、無線通信システムの基地局の一部又はユーザ装置の一部であってもよい。
【００５１】
本発明の第５態様によれば、無線通信システムの送信機内のプロセッサにて起動された場合に、前記送信機に以下のステップを実行させる動作プログラムが与えられ、そのステップは：送信機から前記システムの受信機へ伝送される信号に適用可能な複数の利用可能な変調符号化レベルの少なくとも１つにそれぞれが対応する１以上の調整可能な値を保持するステップであって、対応する前記レベルへの変化を各々が表現するところのステップ；前記受信機によって信号が良好に受信されたか否かに依存して、１以上の調整可能な値を調整するステップ；及び調整可能な値に基づいて、前記信号に適用する利用可能な変調符号化レベルの１つを選択するステップ；である。
【００５２】
本発明の第６態様によれば、無線通信システムの送信機内のプロセッサにて起動された場合に、前記受信機に以下のステップを実行させる動作プログラムが与えられ、そのステップは：前記システムの送信機から受信機へ伝送される信号に適用可能な複数の利用可能な変調符号化レベルの少なくとも１つにそれぞれが対応する１以上の調整可能な値を保持するステップであって、対応する前記レベルへの変化を各々が表現するところのステップ；前記受信機によって信号が良好に受信されたか否かに依存して、１以上の調整可能な値を調整するステップ；調整可能な値に基づいて、利用可能な変調符号化レベルの１つを選択するステップ；及び選択された変調符号化レベルを指定する情報を前記送信機に送信するステップ；である。
【００５３】
本発明の第５及び第６態様では、送信機及び受信機の一方が、無線通信システムの基地局の一部であり、送信機及び受信機の他方がそのシステムのユーザ装置の一部である。
【００５４】
本発明の第５及び第６態様を実現する動作プログラムは、それ自身により設けられてもよいし、キャリアによってもたらされてもよい。そのキャリアは、ディスクやＣＤ−ＲＯＭのような記録する媒体でもよいし、或いは信号のような伝送媒体でもよい。添付の特許請求の範囲はそのように解釈されるべきである。
【００５５】
以下、例として、添付図面を参照しながら本発明が説明される。
【発明を実施するための最良の形態】
【００５６】
本発明の実施例を説明する前に、ＨＳＤＰＡシステムにおける通信を説明するための概略図である図９が参照される。
【００５７】
ダウンリンク伝送に関し、３つのチャネルが使用される。共通パイロットチャネル（ＣＰＩＣＨ）は、その基地局により取り扱われるセル内の全てのユーザに信号をブロードキャストするために使用され、各ユーザがＣＰＩＣＨ信号に基づいてダウンリンクチャネルの品質を測定できるようにする。高速ダウンリンク共用チャネルＨＳ−ＤＳＣＨは、パケットデータをＵＥに送信するために使用される。高速共用制御チャネルＨＳ−ＳＣＣＨは、伝送フォーマット及びリソース関連情報（ＴＦＩＲ）を搬送するために使用される。このＩＦＩＲは、例えば８ビットであり、チャネリゼーションコード、ＭＣＳレベル及び／又は送信ブロックサイズに関する情報を含む。また、ＨＳ−ＳＣＣＨはＨＡＲＱ関連情報も搬送する。このＨＡＲＱ情報は、例えば１２ビットであり、ＨＡＲＱプロセス番号、冗長性バージョン、新規データインジケータ及びユーザＩＤを含む。
【００５８】
アップリンク伝送は、高速専用物理制御チャネル（フィードバックチャネル）ＨＳ−ＤＰＣＣＨを用いて行なわれる。このチャネルは、チャネル品質インジケータ（ＣＱＩ）値及びＨＡＲＱ確認応答（ＡＣＫ／ＮＡＣＫ）を送信するために使用される。
【実施例１】
【００５９】
図１０乃至１２を参照しながら、本発明の第１実施例によるＡＭＣ法が説明される。本実施例は、ＨＳＤＰＡシステムにおけるダウンリンクパケットアクセス信号のＭＣＳレベルを合わせるように使用される。従って、本実施例では、送信機は基地局の一部であり、受信機はユーザ装置の一部である。
【００６０】
第１実施例では、基地局は、そのセル内の各ＵＥについて、いわゆる「ソフトな」ＭＣＳ値のテーブルを維持する。ソフトＭＣＳ値のテーブル例は、図１０に示されている。テーブル１０は、上位の行１２と下位の行１４とを有する。また、テーブルは、テーブル中の最初の１６列より成るＱＰＳＫ領域１６と、テーブルの残りの７列より成る１６ＱＡＭ領域１８とに分けられる。
【００６１】
テーブルの上位の行１２は、利用可能な一群のＣＱＩ値を含む。これらのＣＱＩ値は、図５に関する説明済みの値０乃至２２に対応する。本実施例では、ＣＱＩ値２３乃至３０は利用可能でない。
【００６２】
上位の行１２における各ＣＱＩ値について、下位の行１４にて対応する調整可能なＭＣＳ値が存在する。例えば、図１０では、ソフトＭＣＳ値１５．２２は、ＣＱＩ値１６に対応する。
【００６３】
図１１を参照しながら以下に説明されるように、下位の行１４におけるソフトＭＣＳ値は、ＵＥが体験するチャネル状態に依存して、基地局の利用時に調整可能である。
【００６４】
その基地局により取り扱われるセルにＵＥが入ると、ステップＳ１にて、参入するＵＥに対して基地局にてソフトＭＣＳ値のテーブルが作成される。下位の行１４におけるソフトＭＣＳ値は、上位の行１２における対応するＣＱＩ値にそれぞれ等しく初期設定される。初期ステップＳ１が完了した後に、第１実施例によるＡＭＣ法は、フレーム毎の単位で動作し、各ダウンリンクフレーム（２ｍｓのＴＴＩ）にて、ステップＳ２乃至Ｓ８が実行される。ところで、３ＧＰＰ仕様は、３タイムスロットの周期としてサブフレーム（２ｍｓ）に言及している。この場合に、ステップＳ２乃至Ｓ８は、サブフレーム毎に実行可能である。
【００６５】
ステップＳ２では、ＵＥは、最新のフレームに関するダウンリンクチャネル品質の測定値を生成する。この測定値は、ＣＰＩＣＨを基礎とし、例えば、干渉ＩＯＣを含む背景ノイズに対するＣＰＩＣＨ信号の受信電力
【００６６】
【数１】
2005057758.tif 000003
の比率で表現される。その比率
【００６７】
【数２】
2005057758.tif 000004
は信号対干渉比である。
【００６８】
図５に関する説明済みのもののような内部マッピングテーブルを用いて、ＵＥは最適なＣＱＩ値を判別し、その値は、その伝送ブロックサイズ、ＨＳ−ＰＤＳＣＨコードの番号及びＣＱＩ値に対応する変調形式でフォーマットされた単独のＨＳ−ＤＳＣＨサブフレームが、目標値を超えない伝送ブロックエラー確率で受信されることの可能なものに対する値である。例えば、その目標伝送ブロックエラー確率は、０．１としてもよい。
【００６９】
例えば、最適なＣＱＩ値を判別するために、ダウンリンクチャネル品質の測定値は、ＣＱＩ値決定用のＵＥで保持されている一群の値と比較されてもよい。隣接するＣＱＩ値各々のペアについてそのような１つの閾値が存在する。これらの閾値は、図４に関する説明済みの閾値Ｔｈ０１，Ｔｈ０２，Ｔｈ０３に対応する。比較結果に基づいて、送信ブロックエラー率のターゲット（目標）が達成されるところの利用可能な最適なＣＱＩ値が、判別される。
【００７０】
また、ステップＳ２では、ＵＥは、ＨＳ−ＤＳＣＨ信号の最新フレームについて巡回冗長検査（ＣＲＣ）を実行する。ＣＲＣ結果（合格又は不合格）は、ＡＣＫ／ＮＡＣＫメッセージを生成するために必要とされるが、以下に説明されるように、本発明では他の目的にも使用される。
【００７１】
ＣＲＣ結果及びＣＱＩ値は、ＵＥがＨＳ−ＤＰＣＣＨを用いることによって、基地局へ報告される。
【００７２】
ステップＳ３では、報告されたＣＲＣ結果が合格（ＡＣＫ）であったか又は不合格（ＮＡＣＫ）であったかが判別される。ＣＲＣ結果が合格であったならば、処理はステップＳ４に進む。ステップＳ４では、テーブル中のＱＰＳＫ領域１６内のソフトＭＣＳ値の各々が、第１の上昇調整量ΔＵｐＱＰＳＫだけ増やされる。同様に、テーブル中の１６ＱＡＭ領域１８内のソフトＭＣＳ値の各々は、第２の上昇調整量ΔＵｐ１６ＱＡＭだけ増やされる。そして、処理はステップＳ６に進む。
【００７３】
一方、ステップＳ３にてＣＲＣ結果が不合格であったならば、ステップＳ５にて、テーブル中のＱＰＳＫ領域１６内のソフトＭＣＳ値の各々は第１の下降調整量ΔＤｏｗｎＱＰＳＫだけ減らされ、テーブル中の１６ＱＡＭ領域１８内のソフトＭＣＳ値の各々は第２の下降調整量ΔＤｏｗｎ１６ＱＡＭだけ減らされる。そして、処理はステップＳ６に進む。
【００７４】
ステップＳ６では、ステップＳ２でＵＥから報告されたＣＱＩ値を、テーブル１０に対するインデックスとして使用し、報告されたＣＱＩ値に対応するソフトＭＣＳ値を判別する。例えば、図１０に示されるように、ソフトＭＣＳ値１５．２２は、ＣＱＩ値１６に対応する。ステップＳ６では、このソフトＭＣＳ値が選択され、最も近い整数に丸められ、この例ではその整数は１５である。この値は、適用される次のＭＣＳレベルとして採用される。
【００７５】
ステップＳ７では、次のＭＣＳレベルが、ＭＣＳレベルの許容範囲内であるか否かが検査される。ステップＳ６で選択された次のＭＣＳレベルが、許容される最低のＭＣＳレベルより低い場合には、次のＭＣＳレベルは、許容される最低のそのＭＣＳレベルに単に設定される。同様に、ステップＳ６で選択された次のＭＣＳレベルが、許容される最適なＭＣＳレベルより高い場合には、次のＭＣＳレベルは、許容される最適なそのＭＣＳレベルに設定される。
【００７６】
最後に、ステップＳ８では、ステップＳ６及びＳ７で決定された次のＭＣＳレベルが、次のサブフレームにおいて、ＵＥに送信されるダウンリンク信号に適用される。
【００７７】
図１２は、図１１の動作に関するタイミングを説明するためのタイミング図である。図１２に示されるように、最初のサブフレームｎでは、初期の又はデフォルトのＭＣＳレベルを用いて、ＵＥはＨＳ−ＤＳＣＨによりデータを受信する。そして、ＵＥは、データを処理してＣＲＣ結果及びＣＱＩ値を生成するために７．５タイムスロットを要する。そして、アップリンクサブフレームｋにて、ＣＲＣ結果（ＡＣＫ／ＮＡＣＫ）及びＣＱＩ値が、ＨＳ−ＤＰＣＣＨを通じて基地局に報告される。
【００７８】
基地局は、サブフレームｎについて報告されたＡＣＫ／ＮＡＣＫ及びＣＱＩ値を受信し、次のフレームｎ＋１を開始する前に次のＭＣＳレベルを判別する。そして、基地局は、ＨＳ−ＤＳＣＨサブフレームｎ＋１において、ＨＳ−ＤＳＣＨにより次のデータをＵＥに送信する。先行するフレームのように、ＵＥは、受信したデータを処理してＣＲＣ結果及びＣＱＩ値を生成するのに７．５タイムスロットを要する。その後、これらはＨＳ−ＤＰＣＣＨサブフレームｋ＋１において基地局に報告され、後続のフレームについても同様である。
【００７９】
ステップＳ４及びＳ５では、目標パケットエラーレート（ＰＥＲ）（送信ブロックエラー確率）に依存して、ΔＵｐ１６ＱＡＭが設定されてもよい。例えば、目標ＰＥＲが０．１であるならば、
【００８０】
【数３】
2005057758.tif 000005
である。他の調整量に適切な値は、経験的に次のように見出された：
ΔＤｏｗｎ１６ＱＡＭ＝３＊ΔＵｐ１６ＱＡＭ＝０．３３
ΔＵｐ１６ＱＡＭ＝  ΔＵｐ１６ＱＡＭ／１０
ΔＤｏｗｎＱＰＳＫ＝３＊ΔＵｐＱＰＳＫ。
【００８１】
次に、本発明を使用するＡＭＣ法の実効性（パフォーマンス）の程度を、上述の手法と比較して示すために、いくつかのシミュレーション結果を説明する。考察される第１の以前に説明した手法（以下、「従来技術（１）」という。）は、背景技術で説明された適応閾値法であり、異なるＭＣＳレベル間の切り替えの閾値が、ＡＣＫ／ＮＡＣＫ結果に基づいて調整されるものである。第２の以前に説明した手法（以下、「従来技術（２）」という）も背景技術で説明されており、基地局が、ＵＥからのＡＣＫ／ＮＡＣＫ通知に基づいてＭＣＳレベルを選択するものである。
【００８２】
シミュレーションでなされた仮定は、以下のテーブル１（表１）に定められている。
【００８３】
【表１】
2005057758.tif 000006
図１３は、シミュレーションで使用されたモデルの概略図である。特に、フェージングはレイリーフェージングであること、チャネルノイズは加法性白色ガウシアンノイズ（ＡＷＧＮ）であること、受信機はチャネル品質
【００８４】
【数４】
2005057758.tif 000007
を完全に測定すること及びＣＱＩ値及びＣＲＣ結果の報告に誤りのないことが、想定されている。
【００８５】
図１４乃至１７の各々は、本発明（実線）、従来技術（１）（一点鎖線）及び従来技術（２）（破線）を用いるＡＭＣ法に関するスループット対ダウンリンクチャネル品質特性を示す。
【００８６】
図１４は、ＵＥが３ｋｐｈの低速で移動していることを想定している。また、基地局及びＵＥ間で優勢なパス状態は、単独の支配的なパスが存在するようなものであることも想定されている。この種のパス状態は、例えば、都市環境とは異なり、広々とした郊外で生じる。
【００８７】
図１５は、３つの手法に対応する結果を示し、ここでも単独のパス状態が想定されるが、ＵＥは１２０ｋｐｈの高速で移動しているものとする。図１４及び１５から理解されるように、３つの手法は、単独のパス状態の下では多かれ少なかれ同程度の実効性を有する。
【００８８】
図１６及び１７は、図１４及び１５のものに対応する結果を示すが、ビルディングのような多くの反射物が存在する都市環境にて優勢な、２つの等利得パス状態の下にあることが想定されている。図１６では、ＵＥは３ｋｐｈの低速で移動していることを想定し、図１７ではＵＥは１２０ｋｐｈの高速で移動していることを想定している。２つの等利得パス状態の下では、本発明を使用する方法が、従来技術（１）及び（２）の双方を顕著に上回る好結果を示すことが理解される。特に、従来技術（２）と比較して、本発明を利用する方法は、干渉及びノイズに対する受信電力比が２０ｄＢ
【００８９】
【数５】
2005057758.tif 000008
である場合に、３ｋｐｈのＵＥ速度では約１１８％のスループット改善度をもたらし、１２０ｋｐｈでは２３０％のスループット改善度をもたらす。
【００９０】
シミュレーションによれば、従来技術（１）は、本発明を利用する方法よりもフェージングに非常に密接に追従する傾向があり、これは、ＭＣＳレベル分布の分散性が、本発明の実施例におけるものよりも従来技術（１）におけるものが大きいことを意味する。また、本発明を用いる方法における選択された平均的なＭＣＳレベルは、たとえＰＥＲが同じであったとしても、２５ｄＢの平均ＳＩＮＲで１２０ｋｐｈによる２パスシミュレーションでの従来技術（１）のものよりも高く、本実施例では、より大きなスループットが達成される。
【実施例２】
【００９１】
図１０乃至１２を参照しながら説明された第１実施例では、ＵＥはＣＲＣ結果及びＣＱＩレベルを基地局に報告し、基地局はソフトＭＣＳ値テーブルを保持し、ＣＲＣ結果に基づいてテーブルを更新し、次のＭＣＳレベルを決定する。しかしながら、ソフトＭＣＳ値は、基地局で保持されることも又は更新されることも必須ではなく、次のＭＣＳレベルが基地局で決定されることも必須ではない。これらの動作は、図１８に示される本発明の第２実施例に関連して説明されるように、ＵＥで行なわれることも可能である。
【００９２】
第２実施例では、ステップＳ２がステップＳ１２で置換され、ステップＳ８がステップＳ１８で置換されることを除いて、各ステップは第１実施例のステップＳ１乃至Ｓ８と同じである。
【００９３】
第１実施例と同様に、ステップＳ１では、ＵＥがセルに入ったときに、ソフトＭＣＳ値テーブルが生成される。第２実施例では、このテーブルは、基地局内ではなく、ＵＥの内部で生成される。ステップＳ１２では、ＵＥは、受信した最新のパケットに基づいてＣＲＣ結果及びＣＱＩ値を生成する。この段階で、これらを基地局に報告する代わりに、ＵＥ自身がステップＳ３乃至Ｓ７を実行し、次のフレームに対するＭＣＳレベルを選択する。そして、ステップＳ１８にて、ＵＥは選択したＭＣＳレベル及びＣＲＣ結果をＨＳ−ＤＰＣＣＨを用いて基地局に報告する。
【００９４】
ところで、基地局に到達するまでのＣＲＣ結果の遅延に対処するために、ステップＳ３乃至Ｓ７の処理を実行する前に、ステップＳ１２にて、ＵＥはＣＲＣ結果を基地局に報告することが可能である。
【００９５】
上述の第１及び第２実施例では、ソフトＭＣＳ値は、図１０に示されるようなソフトＭＣＳ値のテーブルを利用して生成される。そのようなテーブルを利用すると、極めて有利になる。第１に、そのテーブルは各ＣＱＩ値について対応するソフトＭＣＳ値を格納するので、望まれるならば、様々な量の分だけソフトＭＣＳ値を調整することができる。従って、例えば、ＱＰＳＫ領域１６内の全てのソフトＭＣＳ値について、１つの上昇調整量及び１つの下降調整量を持たせるのではなく、そのようなＭＣＳ値の各々について、個々の調整量を持たせることができる。或いは、特定のＣＱＩ値に応じて、ソフトＭＣＳ値の一部のみを調整し、その他を不変に残すことも可能である。また、全てのソフトＭＣＳ値がテーブル内に保持されているので、その値の検索及び更新は迅速且つ効率的に行なうことができる。利用可能な処理電力は限られているので、このことは重要であり、テーブルがＵＥ内に維持される場合に特に有利である。
【００９６】
しかしながら、これらの利点とは別に、テーブル形式でソフトＭＣＳ値を保持することの要請は、メモリの要請を増やすことになり、特にソフトＭＣＳ値が非整数値の場合に増える。この点は、図１９に示される本発明の第３実施例にて克服される。
【実施例３】
【００９７】
図１９では、ソフトＭＣＳ値テーブルに代えて、オフセット＿ＱＰＳＫ及びオフセット＿１６ＱＡＭの２つのパラメータが、各自のオフセット部２２，２４内に保持され且つ更新される。オフセット部２２は第１選択スイッチ２６の出力に接続された入力を有する。スイッチ２６は、第１の上昇調整量ΔＵｐＱＰＳＫ及び第１の下降調整量ΔＤｏｗｎＱＰＳＫをそれぞれ受信する第１及び第２の入力を有する。第２オフセット部２４は、第２選択スイッチ２８の出力に接続された入力を有する。スイッチ２８は、第２の上昇調整量ΔＵｐ１６ＱＡＭ及び第２の下降調整量ΔＤｏｗｎ１６ＱＡＭをそれぞれ受信する第１及び第２の入力を有する。スイッチの各々は、ＵＥからのＣＲＣ結果（ＡＣＫ／ＮＡＣＫ）によって制御される。特に、各選択スイッチ２６及び２８は、ＣＲＣ結果が合格（ＡＣＫ）である場合に第１の入力を選択し、ＣＲＣ結果が不合格（ＮＡＣＫ）である場合に第２の入力を選択する。
【００９８】
第１及び第２のオフセット部２２，２４の各々は、リセット入力及び出力も有する。第１オフセット部２２の出力は、第３選択スイッチ３０の第１入力に接続される。第２オフセット部２４の出力は、選択スイッチ３０の第２入力に接続される。スイッチ３０の出力は加算器３２の入力に接続される。
【００９９】
ＣＱＩ値受信部３４は、ＵＥによって生成された最新のＣＱＩ値を受信するために設けられる。受信した最新の値は、受信部３４により、加算器３２の別の入力に出力される。ＣＱＩ値受信部３４は、選択スイッチ３０を制御する制御信号ＱＰＳＫ／１６ＱＡＭも生成する。例えば、受信部３４で保持される最新のＣＱＩ値が０乃至１５の範囲にある場合には、制御信号ＱＰＳＫ／１６ＱＡＭはスイッチ３０にその第１の入力を選択させる一方、最新のＣＱＩ値が１６乃至２２の範囲にある場合には、制御信号ＱＰＳＫ／１６ＱＡＭは、選択スイッチにその第２の入力を選択させる。
【０１００】
加算器３２の出力は、ＭＣＳレベル範囲検査／制限部３６の入力に供給される。検査／制限部３６は、次のＭＣＳレベルを出力する。
【０１０１】
図１９に示される第３実施例の動作が、以下に説明される。
【０１０２】
先ず、ＵＥがセル内に入ると、第１及び第２のオフセット部２２，２４のリセット入力が起動され、オフセット＿ＱＰＳＫ及びオフセット＿１６ＱＡＭの双方のパラメータが０にリセットされる。
【０１０３】
次に、各フレームにおいて、選択スイッチ２６，２８を制御するためにＣＲＣ結果が利用され、上昇調整量又は下降調整量の何れかが、第１及び第２のオフセット部２２，２４の入力に与えられるようにする。オフセット部２２又は２４の各々は、受信した調整量を、それが保持するオフセット＿ＱＰＳＫ又はオフセット＿１６ＱＡＭのパラメータに加える。本実施例では、下降調整量は負の値であることに留意を要する。
【０１０４】
最新のフレームに対するＣＱＩ値が算出されると、それはＣＱＩ値受信部３４で受信される。受信した値に依存して、ＣＱＩ値受信部３４は、選択スイッチ３０を制御するために、適切な制御信号ＱＰＳＫ／１６ＱＡＭを生成する。従って、加算器３２は、ＣＱＩ値プラスオフセット＿ＱＰＳＫを、又はＣＱＩ値プラスオフセット＿１６ＱＡＭを出力する。ＭＣＳレベル範囲検査／制限部３６は、加算器からの出力値が、（図１１のステップＳ７のように）許容範囲内であるか否かを検査し、出力値を適切に制限し、その値を次のＭＣＳレベルとして出力する。
【０１０５】
従って、第３実施例では、ソフトＭＣＳ値のテーブルがなかったとしても、利用可能な各々のＭＣＳレベルは、依然として対応する調整値を有する（ＭＣＳレベル０乃至１５に対応するオフセット＿ＱＰＳＫのパラメータ、又はＭＣＳレベル１６乃至２２に対応するオフセット＿１６ＱＡＭのパラメータ）。
【０１０６】
上述の実施例は２種類の変調方式、即ちＱＰＳＫ及び１６ＱＡＭのみを例として言及していたが、本発明の実施例は、８位相シフトキーイング（８ＰＳＫ）及び６４直交振幅変調（６４ＱＡＭ）を含む任意の適切な変調方式と共に使用可能であることが、理解されるであろう。ソフトＭＣＳ値テーブルは、存在する様々な変調方式と同程度に多くの領域を有することが可能である。或いは、第３実施例の図において、存在する様々な変調方式と同程度に多くのオフセット部が存在してもよい。
【０１０７】
上述の実施例では、送信機は基地局の一部であり、受信機はユーザ装置の一部であった。しかしながら、将来的なネットワークでは、ユーザ装置は、ＡＭＣ法を、基地局に送信するアップリンク信号に適用できる傾向にあり、その場合には、上述の任意の実施例による方法が、ユーザ装置の一部である送信機及び基地局の一部である受信機により実行可能である。
【０１０８】
以上、本発明の実施例が非同期パケットモードを有する広帯域ＣＤＭＡネットワークに関連して説明されてきたが、本発明は、ＡＭＣを使用することのできる任意の他のネットワークに適用可能であることが理解されるであろう。これらのネットワークは、ＩＳ９５ネットワークのような他のＣＤＭＡネットワークでもよいし、或いはそのネットワークから改作されたものでもよい。また、これらのネットワークは、ＣＤＭＡを利用しない他の移動通信ネットワークでもよいし、それから改作されたものでもよく、そのネットワークは例えば、時分割多重接続（ＴＤＭＡ）、波長分割多重接続（ＷＤＭＡ）、周波数分割多重接続（ＦＤＭＡ）及び空間分割多重接続（ＳＤＭＡ）等のような多重接続技術の１以上を用いるネットワークであり得る。
【０１０９】
本発明の実施例による基地局及び／又はユーザ装置の機能の全部又は一部を実際に実現するために、マイクロプロセッサ又はディジタル信号処理装置（ＤＳＰ）を用いてもよいことを、当業者は理解するであろう。
【０１１０】
以下、本発明により教示される手段を例示的に列挙する。
【０１１１】
（付記１）
送信機から受信機へ伝送される信号に適用可能な複数の利用可能な変調符号化レベルの少なくとも１つにそれぞれが対応する１以上の調整可能な値を保持するステップであって、対応する前記レベルへの変化を各々が表現するところのステップ；
前記受信機によって信号が良好に受信されたか否かに依存して、１以上の調整可能な値を調整するステップ；及び
調整可能な値に基づいて、前記信号に適用する利用可能な変調符号化レベルの１つを選択するステップ；
を有することを特徴とする適応変調符号化方法。
【０１１２】
（付記２）
保持するステップ、調整するステップ及び選択するステップが、送信機によって行なわれる
ことを特徴とする付記１記載の方法。
【０１１３】
（付記３）
前記信号が良好に受信されたか否かの指標を前記受信機が前記送信機に送信し、且つ前記送信機が、受信した指標に依存して、１以上の調整可能な値を調整する
ことを特徴とする付記１又は２に記載の方法。
【０１１４】
（付記４）
調整するステップが、信号が良好に受信された場合に１以上の調整可能な値を増やし、信号が良好に受信されなかった場合に１以上の調整可能な値を減らすステップより成る
ことを特徴とする付記１乃至３の何れか１項に記載の方法。
【０１１５】
（付記５）
少なくとも２つの調整可能な値が存在し、調整するステップが、一方の調整可能な値が調整された量とは異なる量の分だけ他方の調整可能な値を調整するステップを有する
ことを特徴とする付記１乃至４の何れか１項に記載の方法。
【０１１６】
（付記６）
調整可能な値が調整される量は、目標誤り率に依存して異なる
ことを特徴とする付記１乃至５の何れか１項に記載の方法。
【０１１７】
（付記７）
調整可能な値が非整数値であり、選択するステップにおいて、信号に適用する変調符号化レベルを選択するために、調整可能な値の丸められたものが使用され、該丸められたものは、非整数の調整可能な値に最も近い整数値を表す
ことを特徴とする付記１乃至６の何れか１項に記載の方法。
【０１１８】
（付記８）
信号伝送品質に基づいて、利用可能な変調符号化レベルの１つを提案するステップ；及び
提案された変調符号化レベルに対応する調整可能な値に基づいて、変調符号化レベルを選択するステップ；
を更に有することを特徴とする付記１乃至７の何れか１項に記載の方法。
【０１１９】
（付記９）
前記受信機が信号伝送品質の測定値を生成し、当該方法が、提案された変調符号化レベルに前記測定値を対応付ける固定的な対応関係を使用するステップを更に有する
ことを特徴とする付記８記載の方法。
【０１２０】
（付記１０）
提案するステップが、提案される変調符号化レベルを指定する情報を前記送信機に送信する受信機によって実行される
ことを特徴とする付記１又は９に記載の方法。
【０１２１】
（付記１１）
前記送信機及び前記受信機の一方が無線通信システムの基地局であり、前記送信機及び前記受信機の他方が前記システムのユーザ装置である
ことを特徴とする付記１乃至１０の何れか１項に記載の方法。
【０１２２】
（付記１２）
前記信号がパケットアクセス信号である
ことを特徴とする付記１１記載の方法。
【０１２３】
（付記１３）
送信機から受信機へ伝送される信号に適用可能な複数の利用可能な変調符号化レベルの少なくとも１つにそれぞれが対応する１以上の調整可能な値を保持する調整可能値保持手段であって、対応する前記レベルへの変化を各々が表現するところの調整可能値保持手段；
前記受信機によって信号が良好に受信されたか否かに依存して、１以上の調整可能な値を調整する調整手段；及び
調整可能な値に基づいて、前記信号に適用する利用可能な変調符号化レベルの１つを選択する選択手段；
を有することを特徴とする適応変調符号化装置。
【０１２４】
（付記１４）
無線通信システムに使用する送信機であって、
当該送信機から前記システムの受信機へ伝送される信号に適用可能な複数の利用可能な変調符号化レベルの少なくとも１つにそれぞれが対応する１以上の調整可能な値を保持する調整可能値保持手段であって、対応する前記レベルへの変化を各々が表現するところの調整可能値保持手段；
前記受信機によって信号が良好に受信されたか否かに依存して、１以上の調整可能な値を調整する調整手段；及び
調整可能な値に基づいて、前記信号に適用する利用可能な変調符号化レベルの１つを選択する選択手段；
を有することを特徴とする送信機。
【０１２５】
（付記１５）
無線通信システムに使用する受信機であって、
前記システムの送信機から当該受信機へ伝送される信号に適用可能な複数の利用可能な変調符号化レベルの少なくとも１つにそれぞれが対応する１以上の調整可能な値を保持する調整可能値保持手段であって、対応する前記レベルへの変化を各々が表現するところの調整可能値保持手段；
当該受信機によって信号が良好に受信されたか否かに依存して、１以上の調整可能な値を調整する調整手段；
調整可能な値に基づいて、前記信号に適用する利用可能な変調符号化レベルの１つを選択する選択手段；及び
選択された変調符号化レベルを指定する情報を前記送信機に送信するレベル通知手段；
を有することを特徴とする受信機。
【０１２６】
（付記１６）
無線通信システムで使用する基地局であって、付記１４に記載の送信機又は付記１５に記載の受信機より成ることを特徴とする基地局。
【０１２７】
（付記１７）
無線通信システムで使用するユーザ装置であって、付記１４に記載の送信機又は付記１５に記載の受信機より成ることを特徴とするユーザ装置。
【０１２８】
（付記１８）
無線通信システムの送信機内のプロセッサにて起動された場合に、前記送信機に：
送信機から前記システムの受信機へ伝送される信号に適用可能な複数の利用可能な変調符号化レベルの少なくとも１つにそれぞれが対応する１以上の調整可能な値を保持するステップであって、対応する前記レベルへの変化を各々が表現するところのステップ；
前記受信機によって信号が良好に受信されたか否かに依存して、１以上の調整可能な値を調整するステップ；及び
調整可能な値に基づいて、前記信号に適用する利用可能な変調符号化レベルの１つを選択するステップ；
を実行させることを特徴とする動作プログラム。
【０１２９】
（付記１９）
無線通信システムの受信機内のプロセッサにて起動された場合に、前記受信機に：
前記システムの送信機から受信機へ伝送される信号に適用可能な複数の利用可能な変調符号化レベルの少なくとも１つにそれぞれが対応する１以上の調整可能な値を保持するステップであって、対応する前記レベルへの変化を各々が表現するところのステップ；
前記受信機によって信号が良好に受信されたか否かに依存して、１以上の調整可能な値を調整するステップ；
調整可能な値に基づいて、利用可能な変調符号化レベルの１つを選択するステップ；及び
選択された変調符号化レベルを指定する情報を前記送信機に送信するステップ；
を実行させることを特徴とする動作プログラム。
【図面の簡単な説明】
【０１３０】
【図１】ダウンリンク伝送に関してＨＳＤＰＡ法を使用する無線通信システムの一部を示す。
【図２】図１のシステムにおけるＨＳＤＰＡ法の動作例を示す。
【図３】無線通信システム内の４つの異なるＵＥに関する一連の送信時間間隔にわたるダウンリンクチャネルの信号干渉比の変動例を示す。
【図４】適応変調符号化法を説明するのに使用するグラフである。
【図５】ＣＱＩマッピングテーブルの一例を示す。
【図６】自動再送要求プロセスを説明するのに使用する概略図である。
【図７】適応変調符号化法の動作にＵＥ速度がどのように影響するかを示す図４に対応するグラフである。
【図８】適応変調符号化法の動作に様々なパス状態がどのように影響するかを示す別のグラフである。
【図９】行なわれる通信を説明するための無線通信システムの部分概略図である。
【図１０】本発明の第１実施例にて使用されるテーブルの概要である。
【図１１】本発明の第１実施例によるＡＭＣ法を説明するのに使用するフローチャートである。
【図１２】第１実施例の動作に関連するタイミング図である。
【図１３】本発明の実施例のパフォーマンスをシミュレーションするために使用されるシミュレーションモデルの概略図である。
【図１４】様々なＵＥ速度及びパス状態の下で、本発明を使用するＡＭＣ法と従来法の動作を比較するスループット対チャネル品質特性を示すグラフである。
【図１５】様々なＵＥ速度及びパス状態の下で、本発明を使用するＡＭＣ法と従来法の動作を比較するスループット対チャネル品質特性を示すグラフである。
【図１６】様々なＵＥ速度及びパス状態の下で、本発明を使用するＡＭＣ法と従来法の動作を比較するスループット対チャネル品質特性を示すグラフである。
【図１７】様々なＵＥ速度及びパス状態の下で、本発明を使用するＡＭＣ法と従来法の動作を比較するスループット対チャネル品質特性を示すグラフである。
【図１８】本発明の第２実施例によるＡＭＣ法を説明するのに使用するフローチャートである。
【図１９】本発明の第３実施例によるＡＭＣ装置の概略図である。
【符号の説明】
【０１３１】
１  無線通信システム；  ２  基地局；  ＵＥ  ユーザ装置；  
２２，２４  オフセットユニット；  ２６，２８，３０  選択スイッチ；  ３２  加算器；  ３４  ＣＱＩ値受信部；  ３６  ＭＣＳレベル範囲検査／制限部
【図１】
2005057758.tif 000009
【図２】
2005057758.tif 000010
【図３】
2005057758.tif 000011
【図４】
2005057758.tif 000012
【図５】
2005057758.tif 000013
【図６】
2005057758.tif 000014
【図７】
2005057758.tif 000015
【図８】
2005057758.tif 000016
【図９】
2005057758.tif 000017
【図１０】
2005057758.tif 000018
【図１１】
2005057758.tif 000019
【図１２】
2005057758.tif 000020
【図１３】
2005057758.tif 000021
【図１４】
2005057758.tif 000022
【図１５】
2005057758.tif 000023
【図１６】
2005057758.tif 000024
【図１７】
2005057758.tif 000025
【図１８】
2005057758.tif 000026
【図１９】
2005057758.tif 000027